(57)【要約】【課題】自己の送信信号を用いてキャリブレーションができる集積回路装置及び電子機器等を提供すること。【解決手段】集積回路装置１００は、アンテナ３６０へ送信信号を出力する送信回路３００と、受信側インダクター及び受信側キャパシターを含む受信側増幅回路２３０を有しアンテナ３６０からの受信信号が入力される受信回路２００と、制御回路３５０とを含む。送信回路３００は、キャリブレーション期間に、キャリブレーション用送信信号を送信する。受信回路２００は、キャリブレーション期間に、キャリブレーション用送信信号を受信する。制御回路３５０は、キャリブレーション期間に、受信側インダクターのインダクタンス値及び受信側キャパシターのキャパシタンス値の少なくとも一方を設定する。【選択図】図１
2011155387.tif 000002
【特許請求の範囲】
【請求項１】
アンテナへ送信信号を出力する送信回路と、
受信側インダクター及び受信側キャパシターを含む受信側増幅回路を有し、前記アンテナからの受信信号が入力される受信回路と、
制御回路とを含み、
前記送信回路は、キャリブレーション期間に、キャリブレーション用送信信号を送信し、
前記受信回路は、前記キャリブレーション期間に、前記キャリブレーション用送信信号を受信し、
前記制御回路は、前記キャリブレーション期間に、前記受信側インダクターのインダクタンス値及び前記受信側キャパシターのキャパシタンス値の少なくとも一方を設定することを特徴とする集積回路装置。
【請求項２】
請求項１において、
前記受信回路は、前記受信側増幅回路での増幅信号の電圧振幅を検出する受信側振幅検出回路を含み、
前記制御回路は、前記受信側振幅検出回路の検出結果に基づいて前記受信側インダクターのインダクタンス値及び前記受信側キャパシターのキャパシタンス値の少なくとも一方を設定し、前記増幅信号の電圧振幅値を極大値に近づける処理を行うことを特徴とする集積回路装置。
【請求項３】
請求項１又は２において、
前記受信側増幅回路は、入力信号を増幅する増幅用トランジスターを含み、
前記受信側インダクターのインダクタンス値及び前記受信側キャパシターのキャパシタンス値の少なくとも一方が可変に設定されることを特徴とする集積回路装置。
【請求項４】
請求項３において、
前記受信側キャパシターは、第１の電源ノードと制御ノードとの間に設けられる第１のキャパシターと、前記制御ノードと前記増幅用トランジスターの出力ノードとの間に設けられる第２のキャパシターとにより構成され、
前記第１のキャパシターは、前記制御ノードの電圧によりキャパシタンス値が可変に設定され、
前記受信側インダクターは、前記出力ノードと第２の電源ノードとの間に設けられることを特徴とする集積回路装置。
【請求項５】
請求項３又は４において、
前記受信側増幅回路は、前記増幅用トランジスターに電流を流すための可変電流源を含み、
前記制御回路は、前記受信側振幅検出回路の検出結果に基づいて、前記可変電流源の電流値を設定する制御を行うことを特徴とする集積回路装置。
【請求項６】
請求項１乃至５のいずれかにおいて、
前記制御回路は、前記送信回路の搬送波の周波数が変化する毎に、前記受信側インダクターのインダクタンス値及び前記受信側キャパシターのキャパシタンス値の少なくとも一方を設定することを特徴とする集積回路装置。
【請求項７】
請求項１乃至６のいずれかにおいて、
前記送信回路は、送信側インダクター及び送信側キャパシターを有する送信側増幅回路を含み、
前記制御回路は、前記キャリブレーション期間に、前記送信側インダクターのインダクタンス値及び前記送信側キャパシターのキャパシタンス値の少なくとも一方を設定することを特徴とする集積回路装置。
【請求項８】
請求項１乃至７のいずれかにおいて、
前記制御回路は、前記キャリブレーション期間での前記キャリブレーション用送信信号の振幅を、通常無線送信期間での送信信号の振幅よりも小さくする制御を行うことを特徴とする集積回路装置。
【請求項９】
アンテナへ送信信号を出力する送信回路と、
前記アンテナからの受信信号が入力される受信回路と、
制御回路とを含み、
前記送信回路は、キャリブレーション期間に、キャリブレーション用送信信号を送信し、
前記受信回路は、前記キャリブレーション期間に、前記キャリブレーション用送信信号を受信し、
前記制御回路は、前記キャリブレーション期間での前記キャリブレーション用送信信号の振幅を、通常無線送信期間での送信信号の振幅よりも小さくする制御を行うことを特徴とする集積回路装置。
【請求項１０】
請求項１乃至９のいずれかに記載の集積回路装置を含むことを特徴とする電子機器。
【発明の詳細な説明】
【技術分野】
【０００１】
本発明は、集積回路装置及び電子機器等に関する。
【背景技術】
【０００２】
近年、無線通信の分野において、限られた周波数帯を効率良く利用する無線通信方式として、周波数ホッピング方式が注目されている。この周波数ホッピング方式では、搬送周波数を頻繁に変化させるため、搬送周波数を切り換える毎に、受信回路及び送信回路のキャリブレーションを行うことが難しいという問題がある。
【０００３】
この課題に対して例えば特許文献１には、受信側の復調信号処理回路を校正するためのテスト信号を生成し、送信回路が送信する手法が開示されている。
【０００４】
しかしながらこの手法では、広い範囲の周波数に対応することが難しいなどの課題があった。
【先行技術文献】
【特許文献】
【０００５】
【特許文献１】特開２００８−１２４９６５号公報
【発明の概要】
【発明が解決しようとする課題】
【０００６】
本発明の幾つかの態様によれば、自己の送信信号を用いてキャリブレーションができる集積回路装置及び電子機器等を提供できる。
【課題を解決するための手段】
【０００７】
本発明の一態様は、アンテナへ送信信号を出力する送信回路と、受信側インダクター及び受信側キャパシターを含む受信側増幅回路を有し、前記アンテナからの受信信号が入力される受信回路と、制御回路とを含み、前記送信回路は、キャリブレーション期間に、キャリブレーション用送信信号を送信し、前記受信回路は、前記キャリブレーション期間に、前記キャリブレーション用送信信号を受信し、前記制御回路は、前記キャリブレーション期間に、前記受信側インダクターのインダクタンス値及び前記受信側キャパシターのキャパシタンス値の少なくとも一方を設定する集積回路装置に関係する。
【０００８】
本発明の一態様によれば、受信回路は、キャリブレーション期間に、送信回路からのキャリブレーション用送信信号を受けて、受信側インダクターのインダクタンス値及び受信側キャパシターのキャパシタンス値の少なくとも一方を設定することができる。その結果、キャリブレーション用送信信号を生成するための特別の回路が不要になるから、回路構成を簡素にすることができ、また消費電力を低減することができる。
【０００９】
また本発明の一態様では、前記受信回路は、前記受信側増幅回路での増幅信号の電圧振幅を検出する受信側振幅検出回路を含み、前記制御回路は、前記受信側振幅検出回路の検出結果に基づいて前記受信側インダクターのインダクタンス値及び前記受信側キャパシターのキャパシタンス値の少なくとも一方を設定し、前記増幅信号の電圧振幅値を極大値に近づける処理を行ってもよい。
【００１０】
このようにすれば、受信側増幅回路からの増幅信号の電圧振幅を極大値に近づけるように、受信側インダクターのインダクタンス値及び受信側キャパシターのキャパシタンス値の少なくとも一方を設定することができる。その結果、製造ばらつきや温度、電源電圧等の変動などによる影響を低減し、安定した増幅効率の良い集積回路装置を実現することが可能になる。
【００１１】
また本発明の一態様では、前記受信側増幅回路は、入力信号を増幅する増幅用トランジスターを含み、前記受信側インダクターのインダクタンス値及び前記受信側キャパシターのキャパシタンス値の少なくとも一方が可変に設定されてもよい。
【００１２】
このようにすれば、受信側キャパシターと受信側インダクターを含むＬＣ負荷回路の共振周波数を可変に設定することができるから、受信側増幅回路の周波数特性を可変に設定することができる。
【００１３】
また本発明の一態様では、前記受信側キャパシターは、第１の電源ノードと制御ノードとの間に設けられる第１のキャパシターと、前記制御ノードと前記増幅用トランジスターの出力ノードとの間に設けられる第２のキャパシターとにより構成され、前記第１のキャパシターは、前記制御ノードの電圧によりキャパシタンス値が可変に設定され、前記受信側インダクターは、前記出力ノードと第２の電源ノードとの間に設けられてもよい。
【００１４】
このようにすれば、制御ノードの電圧により第１のキャパシターのキャパシタンス値を可変に設定することができるから、受信側キャパシターと受信側インダクターを含むＬＣ負荷回路の共振周波数を可変に設定することができる。
【００１５】
また本発明の一態様では、前記受信側増幅回路は、前記増幅用トランジスターに電流を流すための可変電流源を含み、前記制御回路は、前記受信側振幅検出回路の検出結果に基づいて、前記可変電流源の電流値を設定する制御を行ってもよい。
【００１６】
このようにすれば、制御回路は、受信側振幅検出回路の検出結果に基づいて、増幅用トランジスターに流れる電流値を設定することができる。
【００１７】
また本発明の一態様では、前記制御回路は、前記送信回路の搬送波の周波数が変化する毎に、前記受信側インダクターのインダクタンス値及び前記受信側キャパシターのキャパシタンス値の少なくとも一方を設定してもよい。
【００１８】
このようにすれば、複数の搬送周波数を用いる無線通信方式において、搬送周波数を切り換える毎に、受信側インダクターのインダクタンス値及び受信側キャパシターのキャパシタンス値の少なくとも一方を設定して、受信側増幅回路からの増幅信号の電圧振幅を極大値に近づけることができる。その結果、例えば周波数ホッピング方式などの周波数を頻繁に変化させる無線方式においても、安定した増幅効率の良い無線通信を実現することなどが可能になる。
【００１９】
また本発明の一態様では、前記送信回路は、送信側インダクター及び送信側キャパシターを有する送信側増幅回路を含み、前記制御回路は、前記キャリブレーション期間に、前記送信側インダクターのインダクタンス値及び前記送信側キャパシターのキャパシタンス値の少なくとも一方を設定してもよい。
【００２０】
このようにすれば、送信側増幅回路の増幅信号の電圧振幅を極大値に近づけるように、送信側インダクターのインダクタンス値及び送信側キャパシターのキャパシタンス値の少なくとも一方を設定することができる。その結果、製造ばらつきや温度、電源電圧等の変動などによる影響を低減し、安定した増幅効率の良い集積回路装置を実現することができる。
【００２１】
また本発明の一態様では、前記制御回路は、前記キャリブレーション期間での前記キャリブレーション用送信信号の振幅を、通常無線送信期間での送信信号の振幅よりも小さくする制御を行ってもよい。
【００２２】
このようにすれば、キャリブレーション期間に受信回路が受ける信号の振幅を、通常無線送信期間の送信信号の振幅よりも小さくすることができるから、過大な振幅の信号により受信側増幅回路が飽和することなどを防止することができる。また、キャリブレーション期間において、必要以上の電力による送信を抑えることができるから、消費電力を低減し、さらに他の無線機器への干渉を低減することなどが可能になる。
【００２３】
本発明の他の態様は、アンテナへ送信信号を出力する送信回路と、前記アンテナからの受信信号が入力される受信回路と、制御回路とを含み、前記送信回路は、キャリブレーション期間に、キャリブレーション用送信信号を送信し、前記受信回路は、前記キャリブレーション期間に、前記キャリブレーション用送信信号を受信し、前記制御回路は、前記キャリブレーション期間での前記キャリブレーション用送信信号の振幅を、通常無線送信期間での送信信号の振幅よりも小さくする制御を行う集積回路装置に関係する。
【００２４】
本発明の他の態様によれば、受信回路は、キャリブレーション期間に、送信回路からのキャリブレーション用送信信号を受けて、受信回路のキャリブレーションを行うことができる。その結果、キャリブレーション用送信信号を生成するための特別の回路が不要になるから、回路構成を簡素にすることができ、また消費電力を低減することができる。さらにキャリブレーション期間に受信回路が受ける信号の振幅を、通常無線送信期間の送信信号の振幅よりも小さくすることができるから、過大な振幅の信号により受信回路が飽和することなどを防止することができる。
【００２５】
本発明の他の態様は、上記のいずれかに記載の集積回路装置を含む電子機器に関係する。
【図面の簡単な説明】
【００２６】
【図１】集積回路装置の基本的な構成例。
【図２】受信側増幅回路の第１の構成例。
【図３】受信側振幅検出回路の構成例。
【図４】図４（Ａ）、図４（Ｂ）は、受信側振幅検出回路の動作を説明する図。
【図５】受信側増幅回路の第２の構成例。
【図６】受信側振幅検出回路の別の構成例。
【図７】受信側振幅検出回路の動作を説明する図。
【図８】図８（Ａ）、図８（Ｂ）は、増幅信号の電圧振幅の周波数特性の一例。
【図９】Ｌ値、Ｃ値を設定する処理のフローチャートの一例。
【図１０】可変電流源の電流値を設定する処理のフローチャートの一例。
【図１１】電子機器の構成例。
【発明を実施するための形態】
【００２７】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２８】
１．基本的な構成例
図１に本実施形態の集積回路装置の基本的な構成例を示す。本実施形態の集積回路装置は、受信回路２００、送信回路３００、制御回路３５０を含む。受信回路２００は、アンテナ３６０からの受信信号が入力され、受信側増幅回路２３０、周波数変換回路２４０、フィルター２５０、受信側振幅検出回路２６０、復調回路２７０を含む。また受信側増幅回路２３０は、受信側インダクター及び受信側キャパシターを含む。送信回路３００は、アンテナ３６０へ送信信号を出力し、送信側増幅回路３１０、変調回路３２０、発振回路（ＰＬＬ回路）３３０、送信側振幅検出回路３４０を含む。また、送信側増幅回路３１０は、送信側インダクター及び送信側キャパシターを含む。なお、本実施形態の集積回路装置は図１の構成に限定されず、その構成要素の一部を省略したり、他の構成要素に置き換えたり、他の構成要素を追加するなどの種々の変形実施が可能である。
【００２９】
周波数変換回路２４０は、受信周波数から中間周波数へ周波数変換を行う。フィルター２５０は、不要な周波数成分を除去して所望の信号を出力する。復調回路２７０は、所望波の信号を復調して必要なデータを取り出す。
【００３０】
発振回路（ＰＬＬ回路）３３０は、基準クロックから必要な周波数（搬送波周波数など）の信号を生成する。変調回路３２０は送信データに基づいて搬送波を変調（例えば周波数変調）する。
【００３１】
制御回路３５０は、無線通信の制御処理や集積回路装置１００の外部の回路（ホストなど）とのデータ通信を行う。特に本実施形態の集積回路装置では、以下に述べるように、キャリブレーション期間において、受信側振幅検出回路２６０の検出結果に基づいて、受信側増幅回路２３０のキャリブレーションなどの制御処理を行う。
【００３２】
送信回路３００は、キャリブレーション期間に、キャリブレーション用送信信号を送信し、受信回路２００は、キャリブレーション期間に、キャリブレーション用送信信号を受信する。制御回路３５０は、キャリブレーション期間に、受信側インダクターのインダクタンス値（Ｌ値）及び受信側キャパシターのキャパシタンス値（Ｃ値）の少なくとも一方を設定する。
【００３３】
このようにすることで、受信回路２００は、キャリブレーション期間に、送信回路３００からのキャリブレーション用送信信号を受けて、受信側増幅回路２３０のＬ値及びＣ値の少なくとも一方を設定することができる。その結果、キャリブレーション用送信信号を生成するための特別の回路が不要になるから、回路構成を簡素にすることができ、また消費電力を低減することができる。
【００３４】
受信側振幅検出回路２６０は、受信側増幅回路２３０での増幅信号の電圧振幅を検出する。制御回路３５０は、受信側振幅検出回路２６０の検出結果に基づいて、増幅信号の電圧振幅値を極大値に近づける処理を行って、受信側インダクターのインダクタンス値及び受信側キャパシターのキャパシタンス値の少なくとも一方を設定する。なお、受信側振幅検出回路２６０の構成及び制御回路３５０が行う処理については、後述する。
【００３５】
このようにすることで、受信側増幅回路２３０からの増幅信号の電圧振幅を極大値に近づけるように、受信側インダクターのＬ値及び受信側キャパシターのＣ値の少なくとも一方を設定することができる。その結果、製造ばらつきや環境変動（例えば温度、電源電圧等の変動）による影響を低減し、安定した効率の良い無線通信を実現することができる。
【００３６】
制御回路３５０は、送信回路３００の搬送波の周波数が変化する毎に、受信側インダクターのインダクタンス値及び受信側キャパシターのキャパシタンス値の少なくとも一方を設定する。
【００３７】
このようにすることで、複数の搬送周波数を用いる無線通信方式において、搬送周波数を切り換える毎に、受信側インダクターのＬ値及び受信側キャパシターのＣ値の少なくとも一方を設定して、受信側増幅回路２３０からの増幅信号の電圧振幅を極大値に近づけることができる。その結果、例えば周波数ホッピング方式などの周波数を頻繁に変化させる無線方式においても、安定した増幅効率の良い無線通信を実現することができる。
【００３８】
制御回路３５０は、キャリブレーション期間に、送信側インダクターのインダクタンス値及び送信側キャパシターのキャパシタンス値の少なくとも一方を設定する。
【００３９】
このようにすることで、送信側増幅回路３１０の増幅信号の電圧振幅を極大値に近づけるように、送信側インダクターのＬ値及び送信側キャパシターのＣ値の少なくとも一方を設定することができる。その結果、製造ばらつきや環境変動（例えば温度、電源電圧等の変動）による影響を低減し、安定した増幅効率の良い無線通信を実現することができる。
【００４０】
また、制御回路３５０は、キャリブレーション期間でのキャリブレーション用送信信号の振幅を、通常無線送信期間での送信信号の振幅よりも小さくする制御を行う。
【００４１】
このようにすることで、キャリブレーション期間に受信回路２００が受ける信号の振幅を、通常無線送信期間の送信信号の振幅よりも小さくすることができるから、過大な振幅の信号により受信側増幅回路２３０が飽和することなどを防止することができる。また、キャリブレーション期間において、必要以上の電力による送信を抑えることができるから、消費電力を低減し、さらに他の無線機器への干渉を低減することが可能になる。
【００４２】
なお、図１には示していないが、通常無線送信期間において送信回路３００からの送信信号が受信回路２００に入力しないように、切り換えスイッチ等を設けてもよい。ただし、切り換えスイッチ等を設ける場合には、キャリブレーション期間には送信回路３００からの送信信号が受信回路２００に入力するように、切り換えスイッチ等を制御する必要がある。
【００４３】
以上説明したように、本実施形態の集積回路装置によれば、キャリブレーション期間において、受信回路２００は、送信回路３００からのキャリブレーション用送信信号を受けて、キャリブレーションを行うことができる。その結果、キャリブレーション用送信信号を生成するための特別の回路が不要になるから、回路構成を簡素にすることができ、また消費電力を低減することができる。
【００４４】
また、キャリブレーション期間において、受信側増幅回路２３０及び送信側増幅回路３１０の増幅信号の電圧振幅を極大値に近づけるように、各増幅回路のインダクターのＬ値及びキャパシターのＣ値の少なくとも一方を設定することができる。その結果、製造ばらつきや環境変動（例えば温度、電源電圧等の変動）による影響を低減し、安定した増幅効率の良い無線通信を実現することができる。
【００４５】
さらに本実施形態の集積回路装置によれば、キャリブレーション期間に受信回路２００が受ける信号の振幅を、通常無線送信期間の送信信号の振幅よりも小さくすることができるから、過大な振幅の信号により受信側増幅回路２３０が飽和することなどを防止することができる。また、キャリブレーション期間において、必要以上の電力による送信を抑えることができるから、消費電力を低減し、さらに他の無線機器への干渉を低減することが可能になる。
【００４６】
２．増幅回路及び振幅検出回路
図２に、本実施形態の受信側増幅回路２３０の第１の構成例を示す。本実施形態の受信側増幅回路２３０は、増幅用トランジスター１０、ＬＣ負荷回路２０を含む。増幅用トランジスター１０は、カスコード接続された２つのＮ型トランジスターＴ１、Ｔ２により構成され、入力信号を増幅する。バイアス電圧ＶＢ１、ＶＢ２は、それぞれトランジスターＴ１、Ｔ２のゲート電圧を適正な電圧値に設定するためのものである。
【００４７】
なお、本実施形態の受信側増幅回路は図２の構成に限定されず、その構成要素の一部を省略したり、他の構成要素に置き換えたり、他の構成要素を追加するなどの種々の変形実施が可能である。例えば、増幅用トランジスター１０は、１個のトランジスターで構成してもよいし、またＰ型トランジスターで構成することもできる。
【００４８】
ＬＣ負荷回路２０は、受信側インダクター及び受信側キャパシターにより構成され、受信側インダクターのインダクタンス値及び受信側キャパシターのキャパシタンス値の少なくとも一方が可変に設定される。具体的には、ＬＣ負荷回路２０は、例えばバラクター（バリキャップ、電圧制御可変容量）ＣＡ（広義には第１のキャパシター）、キャパシターＣＢ（広義には第２のキャパシター）及びインダクター（コイル）ＬＡを含む。
【００４９】
バラクターＣＡは、低電位側電源ノードＶＳＳ（広義には第１の電源ノード）と制御ノードＮＣとの間に設けられ、制御ノードＮＣの電圧によりキャパシタンス値（容量値）が可変に設定される。バラクターＣＡのキャパシタンス値を変化させることで、ＬＣ負荷回路２０の共振周波数が変化するから、ＬＣ負荷回路２０の周波数特性が変化する。キャパシターＣＢは、直流成分を遮断するためのもので、制御ノードＮＣと増幅用トランジスター１０の出力ノードＮＰとの間に設けられる。またインダクターＬＡは、出力ノードＮＰと高電位側電源ノードＶＤＤ（広義には第２の電源ノード）との間に設けられる。
【００５０】
受信側振幅検出回路２６０は、増幅信号ＶＰの電圧振幅を検出し、検出結果として検出出力電圧ＶＤを出力する。この受信側振幅検出回路２６０の詳細な構成例については、図３で説明する。
【００５１】
制御回路３５０は、受信側振幅検出回路２６０の検出結果に基づいて、増幅信号ＶＰの電圧振幅値を極大値に近づける処理を行って、インダクタンス値及びキャパシタンス値の少なくとも一方を設定する制御を行う。例えば図２では、制御回路３５０は、制御ノードＮＣに印加されるＬＣ制御電圧ＶＴを変化させることで、バラクターＣＡのキャパシタンス値を設定する。制御回路３５０は、Ａ／Ｄ変換器４１、論理回路４２及びＤ／Ａ変換器４３を含む。Ａ／Ｄ変換器４１はアナログデータである検出出力電圧ＶＤ（検出結果）をデジタルデータに変換し、論理回路４２は変換されたデジタルデータに基づいて処理を行う。Ｄ／Ａ変換器４３は論理回路４２の出力に基づいてＬＣ制御電圧ＶＴを生成し出力する。
【００５２】
このようにすることで、増幅信号ＶＰの電圧振幅値を極大値に近づけるように、ＬＣ負荷回路２０のインダクタンス値及びキャパシタンス値の少なくとも一方を設定することができる。その結果、製造ばらつきや環境変動（例えば温度、電源電圧等の変動）による増幅回路の特性劣化を補正することができるから、安定した増幅効率の良い無線通信用集積回路装置を実現することができる。さらに入力信号の周波数が変化する場合でも、その変化した周波数に対して電圧振幅値を極大値に近づけることができるから、広い範囲の周波数について増幅効率の良い無線通信用集積回路装置を実現することができる。
【００５３】
また、ＬＣ負荷回路の共振周波数を可変に設定することで、負荷インピーダンスを可変に設定する従来の手法と比較して、増幅用トランジスターの限られた素子能力の範囲で、比較的高い増幅効率を得ることができるという利点がある。あるいは、同等の素子性能であれば、より高い周波数まで動作させることができるという利点がある。
【００５４】
図３に、本実施形態の受信側振幅検出回路２６０の構成例を示す。受信側振幅検出回路２６０は、ＡＣ結合キャパシターＣＣ、バイアス電圧設定回路６０、振幅検出トランジスターＴＡ、振幅検出用電流源ＩＳ、平滑用キャパシターＣＦ及びインピーダンス変換回路７０を含む。
【００５５】
なお、本実施形態の受信側振幅検出回路は図３の構成に限定されず、その構成要素の一部を省略したり、他の構成要素に置き換えたり、他の構成要素を追加するなどの種々の変形実施が可能である。
【００５６】
ＡＣ結合キャパシターＣＣは、出力ノードＮＰと入力ノードＮＩとの間に設けられ、増幅信号ＶＰの交流成分を通過させる。バイアス電圧設定回路６０は、入力ノードＮＩにバイアス電圧ＶＢＩＡＳを印加するためのものである。
【００５７】
振幅検出トランジスターＴＡは、高電位側電源ノードＶＤＤ（広義には第２の電源ノード）と検出ノードＮＱとの間に設けられ、入力ノードＮＩの電圧によりゲートが制御される。バイアス電圧ＶＢＩＡＳにより、入力ノードＮＩの電圧を振幅検出トランジスターＴＡが動作可能な電圧値に設定することができる。こうすることで、検出ノードＮＱには、ＶＢＩＡＳ−ＶＴＨ（ＶＴＨはＴＡのしきい値電圧）を中心電圧として、増幅信号ＶＰと振幅が等しい交流電圧が生じる。
【００５８】
振幅検出用電流源ＩＳは、検出ノードＮＱと低電位側電源ノードＶＳＳ（広義には第１の電源ノード）との間に設けられる。振幅検出用電流源ＩＳは、振幅検出トランジスターＴＡのドレイン電流を確保するためのものである。
【００５９】
平滑用キャパシターＣＦは、検出ノードＮＱと低電位側電源ノードＶＳＳとの間に設けられる。平滑用キャパシターＣＦにより、検出ノードＮＱの電圧が平滑化されることで、増幅信号ＶＰの電圧振幅に応じた電圧が検出ノードＮＱに生じる。
【００６０】
インピーダンス変換回路７０は、検出ノードＮＱの電圧を受け、インピーダンスを変換して、制御回路３５０へ検出出力電圧ＶＤを出力する。検出ノードＮＱに発生する信号は高インピーダンスなので、これをインピーダンス変換回路７０により低インピーダンスに変換して、制御回路３５０へ出力する。インピーダンス変換回路７０は、例えば図３に示すように、ボルテージフォロワー接続のオペアンプＯＰＡで構成することができる。
【００６１】
図４（Ａ）、図４（Ｂ）は、受信側振幅検出回路２６０の動作を説明する図である。図４（Ａ）に、増幅信号ＶＰ、入力ノードＮＩの電圧Ｖ（ＮＩ）及び検出ノードＮＱの電圧Ｖ（ＮＱ）（検出出力電圧ＶＤ）の波形の一例を示す。入力ノードＮＩには、増幅信号ＶＰに応じて、バイアス電圧ＶＢＩＡＳを中心電圧とする交流電圧が生じる。そして検出ノードＮＱには、ＶＢＩＡＳ−ＶＴＨを中心電圧とする交流信号を平滑化した電圧が出力される。この平滑化された電圧が、検出出力電圧ＶＤとして出力される。
【００６２】
例えば、ＶＰの電圧振幅が大きい場合には、図４（Ａ）のＣ１、Ｃ２、Ｃ３に示す波形になり、ＶＰの電圧振幅が小さい場合には、図４（Ａ）のＤ１、Ｄ２、Ｄ３に示す波形になる。なお、増幅信号の周波数が十分高ければ、平滑化によってほぼ一定の電圧値が出力される。
【００６３】
図４（Ｂ）に、検出出力電圧ＶＤと増幅信号ＶＰの電圧振幅との関係の一例を示す。図４（Ｂ）に示すように、受信側振幅検出回路２６０は、増幅信号ＶＰの電圧振幅が増加するにつれて電圧ＶＢＩＡＳ−ＶＴＨからの変化電圧が増加する信号を、検出出力電圧ＶＤ（広義には検出結果信号）として出力する。このようにすれば、検出出力電圧ＶＤとＶＢＩＡＳ−ＶＴＨとの電圧差から増幅信号ＶＰの電圧振幅値を求めることができる。
【００６４】
例えば、ＶＰの電圧振幅が大きい場合には、図４（Ｂ）のＣ４に示す電圧が出力され、ＶＰの電圧振幅が小さい場合には、図４（Ｂ）のＤ４に示す電圧が出力される。
【００６５】
なお、増幅信号ＶＰの電圧振幅が大きい場合に、図４（Ｂ）の破線で示すように検出出力電圧ＶＤが飽和することがある。しかし、バイアス電圧ＶＢＩＡＳを適正な電圧に設定することで、ＶＤの飽和を回避することができる。
【００６６】
図５に、本実施形態の受信側増幅回路２３０の第２の構成例を示す。第２の構成例の受信側増幅回路は、差動入力信号を増幅する。第２の構成例の増幅回路は、増幅用トランジスター１０、ＬＣ負荷回路２０及び可変電流源５０を含む。
【００６７】
増幅用トランジスター１０は、カスコード接続のＮ型トランジスターＴ１１、Ｔ１２及びＴ２１、Ｔ２２を含む。また、ＬＣ負荷回路２０は、バラクターＣＡ１、ＣＡ２（広義には第１のキャパシター）、キャパシターＣＢ１、ＣＢ２（広義には第２のキャパシター）及びインダクター（コイル）ＬＢを含む。
【００６８】
バラクターＣＡ１は、低電位側電源ノードＶＳＳ（広義には第１の電源ノード）と制御ノードＮＣ１との間に設けられ、制御ノードＮＣ１の電圧によりキャパシタンス値（容量値）が可変に設定される。キャパシターＣＢ１は、直流成分を遮断するためのもので、制御ノードＮＣ１と増幅用トランジスター１０の出力ノードＮＰ１との間に設けられる。またインダクターＬＢは、出力ノードＮＰ１と別の出力ノードＮＰ２との間に設けられ、インダクターＬＢの中間タップは、高電位側電源ノードＶＤＤ（広義には第２の電源ノード）に接続される。
【００６９】
バラクターＣＡ２は、低電位側電源ノードＶＳＳと制御ノードＮＣ２との間に設けられ、制御ノードＮＣ２の電圧によりキャパシタンス値（容量値）が可変に設定される。キャパシターＣＢ２は、直流成分を遮断するためのもので、制御ノードＮＣ２と増幅用トランジスター１０の出力ノードＮＰ２との間に設けられる。
【００７０】
２つのバラクターＣＡ１、ＣＡ２のキャパシタンス値を変化させることで、ＬＣ負荷回路２０の共振周波数が変化するから、ＬＣ負荷回路２０の周波数特性が変化する。
【００７１】
受信側振幅検出回路２６０は、差動増幅信号ＶＰ１、ＶＰ２の電圧振幅を検出し、検出結果として検出出力電圧ＶＤを出力する。この受信側振幅検出回路２６０の詳細な構成例については、図６で説明する。
【００７２】
制御回路３５０は、受信側振幅検出回路２６０の検出結果に基づいて、差動増幅信号ＶＰ１、ＶＰ２の電圧振幅値を極大値に近づける処理を行って、インダクタンス値及びキャパシタンス値の少なくとも一方を設定する制御を行う。例えば図５では、制御回路３５０は、制御ノードＮＣ１、ＮＣ２に印加されるＬＣ制御電圧ＶＴを変化させることで、バラクターＣＡ１、ＣＡ２のキャパシタンス値を設定する。
【００７３】
さらに制御回路３５０は、インダクタンス値及びキャパシタンス値の少なくとも一方を設定した後に、増幅信号ＶＰ１、ＶＰ２の電圧振幅値をターゲット振幅値に近づける処理を行って、可変電流源５０の電流値ＩＡを設定する制御を行う。例えば図５では、制御回路３５０は、電流源制御電圧ＶＡを変化させることで、可変電流源５０の電流値ＩＡを設定する制御を行う。具体的には、電流源制御電圧ＶＡを上昇させることで電流値ＩＡが増加し、電流値ＩＡが増加することで、増幅信号ＶＰ１、ＶＰ２の電圧振幅値が増加する。逆に電流源制御電圧ＶＡを低下させることで電流値ＩＡが減少し、電流値ＩＡが減少することで、増幅信号ＶＰ１、ＶＰ２の電圧振幅値が減少する。
【００７４】
制御回路３５０は、Ａ／Ｄ変換器４１、論理回路４２及びＤ／Ａ変換器４３、４４で構成することができる。Ａ／Ｄ変換器４１はアナログデータである検出出力電圧ＶＤ（検出結果）をデジタルデータに変換し、論理回路４２は変換されたデジタルデータに基づいて処理を行う。Ｄ／Ａ変換器４３は論理回路４２の出力に基づいて電流源制御電圧ＶＡを生成し出力し、Ｄ／Ａ変換器４４は論理回路４２の出力に基づいてＬＣ制御電圧ＶＴを生成し出力する。
【００７５】
可変電流源５０は、増幅用トランジスター１０に電流を流すためのものであり、例えば図５に示すようにトランジスターＴ３１で構成される。Ｔ３１のゲートに印加される電流源制御電圧ＶＡを変化させることで、可変電流源５０の電流値ＩＡを可変に設定することができる。なお、可変電流源５０は、図５に示す構成に限定されるものではなく、例えば複数個のカレントミラー回路を設けて、それらの接続をスイッチ素子等により切り換える構成にしてもよい。
【００７６】
このようにすることで、差動増幅信号ＶＰ１、ＶＰ２の電圧振幅値を極大値に近づけるように、ＬＣ負荷回路２０のインダクタンス値及びキャパシタンス値の少なくとも一方を設定することができる。その結果、製造ばらつきや環境変動（例えば温度、電源電圧等の変動）による増幅回路の特性劣化を補正することができるから、特性が安定し、増幅効率の良い無線通信用集積回路装置を実現することができる。さらに入力信号の周波数が変化する場合でも、その変化した周波数に対して電圧振幅値を極大値に近づけることができるから、広い範囲の周波数について増幅効率の良い無線通信用集積回路装置を実現することができる。さらにインダクタンス値及びキャパシタンス値の少なくとも一方を設定した後に、電圧振幅値をターゲット振幅値に近づけることができるから、集積回路装置の用途に応じて電圧振幅値を適正な値に設定することが可能になる。
【００７７】
図６に、本実施形態の受信側振幅検出回路２６０の別の構成例を示す。図６に示す受信側振幅検出回路２６０は、差動増幅信号ＶＰ１、ＶＰ２の電圧振幅を検出する回路であって、ＡＣ結合キャパシターＣＣ１、ＣＣ２、バイアス電圧設定回路６０、振幅検出トランジスターＴＡ１、ＴＡ２、振幅検出用電流源ＩＳ、平滑用キャパシターＣＦ及びインピーダンス変換回路７０を含む。
【００７８】
ＡＣ結合キャパシターＣＣ１、ＣＣ２は、出力ノードＮＰ１と入力ノードＮＩ１との間、及び出力ノードＮＰ２と入力ノードＮＩ２との間に各々設けられ、差動増幅信号ＶＰ１、ＶＰ２の交流成分を通過させる。バイアス電圧設定回路６０は、入力ノードＮＩ１、ＮＩ２にバイアス電圧ＶＢＩＡＳを印加するためのものである。
【００７９】
振幅検出トランジスターＴＡ１、ＴＡ２は、高電位側電源ノードＶＤＤ（広義には第２の電源ノード）と検出ノードＮＱとの間に設けられる。入力ノードＮＩ１の電圧によりＴＡ１のゲートが制御され、入力ノードＮＩ２の電圧によりＴＡ２のゲートが制御される。バイアス電圧ＶＢＩＡＳにより、入力ノードＮＩ１、ＮＩ２の電圧を振幅検出トランジスターＴＡ１、ＴＡ２が動作可能な電圧値に設定することができる。こうすることで、検出ノードＮＱには、ＶＢＩＡＳ−ＶＴＨ（ＶＴＨはＴＡ１、ＴＡ２のしきい値電圧）を中心電圧として、増幅信号ＶＰ１、ＶＰ２と振幅が等しい交流電圧が生じる。
【００８０】
振幅検出用電流源ＩＳは、検出ノードＮＱと低電位側電源ノードＶＳＳ（広義には第１の電源ノード）との間に設けられる。振幅検出用電流源ＩＳは、振幅検出トランジスターＴＡ１、ＴＡ２のドレイン電流を確保するためのものである。
【００８１】
平滑用キャパシターＣＦは、検出ノードＮＱと低電位側電源ノードＶＳＳとの間に設けられる。平滑用キャパシターＣＦにより、検出ノードＮＱの電圧が平滑化されることで、差動増幅信号ＶＰ１、ＶＰ２の電圧振幅に応じた電圧が検出ノードＮＱに生じる。
【００８２】
インピーダンス変換回路７０は、検出ノードＮＱの電圧を受け、インピーダンスを変換して、制御回路３５０へ検出出力電圧ＶＤを出力する。検出ノードＮＱに発生する信号は高インピーダンスなので、これをインピーダンス変換回路７０により低インピーダンスに変換して、制御回路３５０へ出力する。インピーダンス変換回路７０は、例えば図６に示すように、ボルテージフォロワー接続のオペアンプＯＰＡで構成することができる。
【００８３】
図７は、受信側振幅検出回路２６０（図６）の動作を説明する図であり、差動増幅信号ＶＰ１、ＶＰ２、入力ノードＮＩ１、ＮＩ２の各電圧Ｖ（ＮＩ１）、Ｖ（ＮＩ２）及び検出ノードＮＱの電圧Ｖ（ＮＱ）（検出出力電圧ＶＤ）の波形の一例を示す。入力ノードＮＩ１には、増幅信号ＶＰ１に応じて、バイアス電圧ＶＢＩＡＳを中心電圧とする交流電圧が生じる。同様に、入力ノードＮＩ２には、増幅信号ＶＰ２に応じて、バイアス電圧ＶＢＩＡＳを中心電圧とする交流電圧が生じる。そして検出ノードＮＱには、ＶＢＩＡＳ−ＶＴＨを基準電圧とする平滑化した電圧が出力される。この平滑化された電圧が、検出出力電圧ＶＤとして出力される。
【００８４】
例えば、差動増幅信号ＶＰ１、ＶＰ２の電圧振幅が大きい場合（図７のＥ１、Ｅ３）には、入力ノードＮＩ１、ＮＩ２の各電圧Ｖ（ＮＩ１）、Ｖ（ＮＩ２）は、図７のＥ２、Ｅ４に示す波形になり、ＮＱの電圧Ｖ（ＮＱ）は図７のＥ５に示す波形になる。一方、差動増幅信号ＶＰ１、ＶＰ２の電圧振幅が小さい場合（図７のＦ１、Ｆ３）には、図７のＦ２、Ｆ４に示す波形になり、ＮＱの電圧Ｖ（ＮＱ）すなわち検出出力電圧ＶＤは、図７のＦ５に示す波形になる。なお、増幅信号の周波数が十分高ければ、平滑化によってほぼ一定の電圧値が出力される。
【００８５】
このようにして得られる検出出力電圧ＶＤと増幅信号ＶＰの電圧振幅との関係は、図４（Ｂ）に示すものと同様である。受信側振幅検出回路２６０は、増幅信号ＶＰ１、ＶＰ２の電圧振幅の増加に従ってＶＢＩＡＳ−ＶＴＨである電圧からの変化電圧が増加する信号を、検出出力電圧ＶＤ（広義には検出結果）として出力する。このようにすれば、検出出力電圧ＶＤとＶＢＩＡＳ−ＶＴＨとの電圧差から増幅信号ＶＰ１、ＶＰ２の電圧振幅値を求めることができる。
【００８６】
図８（Ａ）、図８（Ｂ）に、増幅信号の電圧振幅の周波数特性の一例を示す。図８（Ａ）は、ＬＣ負荷回路２０のインダクタンス値（Ｌ値）及びキャパシタンス値（Ｃ値）の少なくとも一方を設定する前の周波数特性（破線で示す）及び設定した後の周波数特性（実線で示す）である。
【００８７】
例えば、Ｌ値及びＣ値の少なくとも一方を設定する前では、使用する周波数（搬送波の周波数）ｆｃにおける電圧振幅値は、図８（Ａ）のＡ１に示す値である。制御回路３５０は、受信側振幅検出回路２６０の検出結果に基づいて、電圧振幅値を極大値に近づけるようにＬ値及びＣ値の少なくとも一方を設定する。具体的には、ＬＣ負荷回路２０のＬ値及びＣ値の少なくとも一方を減少させる制御を行うことで、ＬＣ負荷回路２０の共振周波数が高い方へシフトする。その結果、ｆｃにおける電圧振幅値は極大値に近づき、例えば図８（Ａ）のＡ２に示す値になる。
【００８８】
また、図示していないが、設定前の共振周波数が使用する周波数ｆｃよりも高い場合には、ＬＣ負荷回路２０のＬ値及びＣ値の少なくとも一方を増加させる制御を行うことで、ＬＣ負荷回路２０の共振周波数が低い方へシフトする。その結果、ｆｃにおける電圧振幅値は、極大値に近づく。
【００８９】
図８（Ｂ）は、上記の設定後に可変電流源５０の電流値ＩＡを変化させた時の電圧振幅値の周波数特性である。例えば、ＬＣ負荷回路２０のＬ値及びＣ値の少なくとも一方を設定した時のｆｃにおける電圧振幅値は、図８（Ｂ）のＢ１に示す値である。可変電流源５０の電流値ＩＡを増加させることで、増幅回路のゲインが増加するから、ｆｃにおける電圧振幅値は増加し、例えば図８（Ｂ）のＢ２に示す値になる。逆に可変電流源５０の電流値ＩＡを減少させることで、増幅回路のゲインが減少するから、ｆｃにおける電圧振幅値は減少し、例えば図８（Ｂ）のＢ３に示す値になる。
【００９０】
以上説明したように、本実施形態の集積回路装置によれば、増幅信号の電圧振幅値を極大値に近づけるように、ＬＣ負荷回路のインダクタンス値及びキャパシタンス値の少なくとも一方を設定することができる。その結果、製造ばらつきや環境変動（例えば温度、電源電圧等の変動）による増幅回路の特性劣化を補正することができるから、特性が安定した、増幅効率の良い無線通信用集積回路装置を実現することができる。さらに入力信号の周波数が変化する場合でも、その変化した周波数に対して電圧振幅値を極大値に設定することができるから、広い範囲の周波数について増幅効率の良い無線通信用集積回路装置を実現することができる。さらにインダクタンス値及びキャパシタンス値の少なくとも一方を設定した後に、可変電流源の電流値を設定することで、電圧振幅値をターゲット振幅値に近づけることができるから、集積回路装置の用途に応じて電圧振幅値を適正な値に設定することが可能になる。
【００９１】
なお、以上は受信側増幅回路２３０及び受信側振幅検出回路２６０についての説明であるが、送信側増幅回路３１０及び送信側振幅検出回路３４０についても同様の回路構成、動作であるから、これらの説明は省略する。
【００９２】
図９は、上述したインダクタンス値及びキャパシタンス値の少なくとも一方を設定する処理のフローチャートの一例である。図９では、例としてキャパシタンス値（Ｃ値）を設定する場合を示しているが、インダクタンス値（Ｌ値）を設定する場合も同様の制御フローになる。以下では、図９に示すステップＰ１〜Ｐ１３に従ってＣ値を設定する処理を説明する。
【００９３】
最初にＣ値を初期値Ｃ０に設定する（ステップＰ１）。次に、受信側振幅検出回路２６０（又は送信側振幅検出回路３４０）からの検出結果に基づいて、初期値Ｃ０の時の電圧振幅値ＶＰＡを取得する（ステップＰ２）。次にＣ値を増分値ΔＣだけ増加させ（ステップＰ３）、その後の電圧振幅値ＶＰＡを取得する（ステップＰ４）。そして電圧振幅値ＶＰＡが増加したか否かを判断する（ステップＰ５）。
【００９４】
電圧振幅値ＶＰＡが増加した場合には、Ｃ値をさらに増分値ΔＣだけ増加させ（ステップＰ６）、その後の電圧振幅値ＶＰＡを取得する（ステップＰ７）。そして電圧振幅値ＶＰＡが増加したか否かを判断する（ステップＰ８）。電圧振幅値ＶＰＡが増加した場合には、ステップＰ６に戻り、Ｃ値をさらに増分値ΔＣだけ増加させる。これを繰り返した後、ステップＰ８の判断において電圧振幅値ＶＰＡが増加しない場合には、Ｃ値を１つ前の値（Ｃ−ΔＣ）に戻して（ステップＰ９）、設定を終了する。
【００９５】
一方、ステップＰ５の判断において、電圧振幅値ＶＰＡが増加しない場合には、Ｃ値を増分値ΔＣだけ減少させ（ステップＰ１０）、その後の電圧振幅値ＶＰＡを取得する（ステップＰ１１）。そして電圧振幅値ＶＰＡが増加したか否かを判断する（ステップＰ１２）。電圧振幅値ＶＰＡが増加した場合には、ステップＰ１０に戻り、Ｃ値をさらに増分値ΔＣだけ減少させる。これを繰り返した後、ステップＰ１２の判断において電圧振幅値ＶＰＡが増加しない場合には、Ｃ値を１つ前の値（Ｃ＋ΔＣ）に戻して（ステップＰ１３）、設定を終了する。
【００９６】
このようにすることで、増幅信号の電圧振幅値を極大値に近づける処理を行って、ＬＣ負荷回路のキャパシタンス値を設定することができる。さらに同様の処理を行って、ＬＣ負荷回路のインダクタンス値を設定することができる。
【００９７】
図１０は、インダクタンス値及びキャパシタンス値の少なくとも一方を設定した後に、可変電流源５０の電流値ＩＡを設定することで、電圧振幅値ＶＰＡをターゲット振幅値ＶＰＡｓｅｔに近づける処理のフローチャートの一例である。以下では、図１０に示すステップＳ１〜Ｓ９に従って電流値ＩＡを設定する処理を説明する。
【００９８】
最初に電流値ＩＡを初期値ＩＡ０に設定する（ステップＳ１）。次に、受信側振幅検出回路２６０（又は送信側振幅検出回路３４０）からの検出結果に基づいて、初期値ＩＡ０の時の電圧振幅値ＶＰＡを取得する（ステップＳ２）。そして電圧振幅値ＶＰＡがターゲット振幅値ＶＰＡｓｅｔより小さいか否かを判断する（ステップＳ３）。
【００９９】
電圧振幅値ＶＰＡがターゲット振幅値ＶＰＡｓｅｔより小さい場合には、電流値ＩＡを増分値ΔＩＡだけ増加させ（ステップＳ４）、その後の電圧振幅値ＶＰＡを取得する（ステップＳ５）。そして電圧振幅値ＶＰＡとターゲット振幅値ＶＰＡｓｅｔとの差が所定の値Ｖｅより小さいか否かを判断する（ステップＳ６）。所定の値Ｖｅは、この処理によって実際に設定される電圧振幅値ＶＰＡとターゲット振幅値ＶＰＡｓｅｔとの誤差の上限を決める。電圧振幅値ＶＰＡとターゲット振幅値ＶＰＡｓｅｔとの差が所定の値Ｖｅより小さい場合には、設定を終了する。ＶＰＡとＶＰＡｓｅｔとの差が所定の値Ｖｅより小さくない場合には、ステップＳ４に戻り処理を繰り返す。
【０１００】
一方、ステップＳ３の判断において、電圧振幅値ＶＰＡがターゲット振幅値ＶＰＡｓｅｔより小さくない場合には、電流値ＩＡを増分値ΔＩＡだけ減少させ（ステップＳ７）、その後の電圧振幅値ＶＰＡを取得する（ステップＳ８）。そして電圧振幅値ＶＰＡとターゲット振幅値ＶＰＡｓｅｔとの差が所定の値Ｖｅより小さいか否かを判断する（ステップＳ９）。電圧振幅値ＶＰＡとターゲット振幅値ＶＰＡｓｅｔとの差が所定の値Ｖｅより小さい場合には、設定を終了する。ＶＰＡとＶＰＡｓｅｔとの差が所定の値Ｖｅより小さくない場合には、ステップＳ７に戻り処理を繰り返す。
【０１０１】
このようにすることで、増幅信号の電圧振幅値をターゲット振幅値に近づける処理を行って、可変電流源の電流値を設定することができる。
【０１０２】
３．電子機器
図１１に、集積回路装置１００を含む電子機器４００の構成例を示す。電子機器４００は、集積回路装置１００、センサー部４１０、Ａ／Ｄ変換器４２０、記憶部４３０、ホスト４４０、操作部４５０を含む。
【０１０３】
電子機器４００は、例えば温度・湿度計、脈拍計、歩数計等であって、検出したデータを無線により送信することができる。センサー部４１０は、温度センサー、湿度センサー、ジャイロセンサー、加速度センサー、フォトセンサー、圧力センサー等を含み、電子機器４００の用途に応じたセンサーが用いられる。
【０１０４】
センサー部４１０は、センサーの出力信号（センサー信号）を増幅し、フィルターによりノイズを除去する。Ａ／Ｄ変換器４２０は、増幅された信号をデジタル信号に変換して集積回路装置１００へ出力する。ホスト４４０は、例えばマイクロコンピューター等で構成され、デジタル信号処理や或いは記憶部４３０に記憶された設定情報や操作部４５０からの信号に基づいて電子機器４００の制御処理を行う。記憶部４３０は、例えばフラッシュメモリーなどで構成され、設定情報や検出したデータ等を記憶する。操作部４５０は、例えばキーパッド等で構成され、使用者が電子機器４００を操作するために用いられる。
【０１０５】
なお、以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（第１の電源ノード、第２の電源ノード）と共に記載された用語（低電位側電源ノードＶＳＳ、高電位側電源ノードＶＤＤ）は、明細書又は図面のいかなる箇所においても、その異なる用語に置き換えることができる。また増幅回路、集積回路装置及び電子機器の構成、動作も本実施形態で説明したものに限定されず、種々の変形実施が可能である。
【符号の説明】
【０１０６】
１０  増幅用トランジスター、２０  ＬＣ負荷回路、４１  Ａ／Ｄ変換器、
４２  論理回路、４３、４４  Ｄ／Ａ変換器、５０  可変電流源、
６０  バイアス電圧設定回路、７０  インピーダンス変換回路、
１００  集積回路装置、２００  受信回路、２３０  受信側増幅回路、
２４０  周波数変換回路、２５０  フィルター、２６０  受信側振幅検出回路、
２７０  復調回路、３００  送信回路、３１０  送信側増幅回路、３２０  変調回路、
３３０  発振回路（ＰＬＬ回路）、３４０  送信側振幅検出回路、３５０  制御回路、
３６０  アンテナ、４００  電子機器、４１０  センサー部、４２０  Ａ／Ｄ変換器、
４３０  記憶部、４４０  ホスト、４５０  操作部、
ＣＡ  バラクター、ＣＢ  キャパシター、ＬＡ  インダクター、ＮＣ  制御ノード、
ＮＰ  出力ノード、ＶＤ  検出出力電圧、ＶＰ  増幅信号、ＶＴ  ＬＣ制御電圧
【図１】
2011155387.tif 000003
【図２】
2011155387.tif 000004
【図３】
2011155387.tif 000005
【図４】
2011155387.tif 000006
【図５】
2011155387.tif 000007
【図６】
2011155387.tif 000008
【図７】
2011155387.tif 000009
【図８】
2011155387.tif 000010
【図９】
2011155387.tif 000011
【図１０】
2011155387.tif 000012
【図１１】
2011155387.tif 000013